(57)【要約】  前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの扉（２ａ，２ｂ，２ｃ）を備えた。
2019163092.tif 000002
【特許請求の範囲】
【請求項１】
前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの扉
を備えた冷蔵庫。
【請求項２】
前記グラデーションが施された扉部材において明度が低いほうの端部を基準として、前記グラデーションが施された扉部材において明度が高いほうの端部とは反対側に位置する扉部材には、単色の色調が施される
ことを特徴とする請求項１記載の冷蔵庫。
【請求項３】
前記扉部材は、
当該扉部材に、直接、前記グラデーションの樹脂塗膜層、および、前記柄の樹脂塗膜層が印刷されることで、前記グラデーションおよび前記柄が施されている
ことを特徴とする請求項１記載の冷蔵庫。
【請求項４】
前記扉部材は、
当該扉部材に、前記グラデーションおよび前記柄が加飾された加飾フィルムが貼り付けられることで、前記グラデーションおよび前記柄が施されている
ことを特徴とする請求項１記載の冷蔵庫。
【請求項５】
前記柄とは、
前記冷蔵庫が置かれた状態において、水平方向の直線である
ことを特徴とする請求項１記載の冷蔵庫。
【請求項６】
前記柄とは、
前記冷蔵庫が置かれた状態において、ゆらぎを有する水平方向の線である
ことを特徴とする請求項１記載の冷蔵庫。
【請求項７】
前記柄とは、
前記冷蔵庫が置かれた状態において、高さ、または、互いの高さ方向の間隔がそれぞれ異なる、水平方向の複数の線である
ことを特徴とする請求項１記載の冷蔵庫。
【請求項８】
前記柄とは、
前記冷蔵庫が置かれた状態において、集合と方向性によって水平方向に線を形成する、複数の図形である
ことを特徴とする請求項１記載の冷蔵庫。
【請求項９】
前記柄とは、
任意の図形を敷き詰めたパターン柄である
ことを特徴とする請求項１記載の冷蔵庫。
【請求項１０】
前記柄とは、
斜めのストライプ柄、または、斜めのストライプを交差させた柄である
ことを特徴とする請求項１記載の冷蔵庫。
【請求項１１】
前記柄とは、
図形を放射状にランダムに配置した柄である
ことを特徴とする請求項１記載の冷蔵庫。
【請求項１２】
前記冷蔵庫が置かれた状態において、
前記一方の端部とは前記扉部材の上部であり、
前記他方の端部とは前記扉部材の下部であって、
前記扉部材は、前記扉部材の上部から前記扉部材の下部にかけて徐々に暗くなるグラデーションが施される
ことを特徴とする請求項１から請求項１１のうちのいずれか１項記載の冷蔵庫。
【発明の詳細な説明】
【技術分野】
【０００１】
この発明は、複数の扉を備えた冷蔵庫に関するものである。
【背景技術】
【０００２】
一般的な冷蔵庫として、複数の扉を有する冷蔵庫において、当該扉に装飾用の部材が設けられた冷蔵庫が知られている。
例えば、特許文献１には、冷蔵庫の扉を構成する装飾外装板に、色の濃淡をつけるとともに、一体的な模様をつけるようにした冷蔵庫が開示されている。
【先行技術文献】
【特許文献】
【０００３】
【特許文献１】特開２０１５−１１１０３４号公報
【発明の概要】
【発明が解決しようとする課題】
【０００４】
しかしながら、特許文献１に開示されているような冷蔵庫では、装飾外装板に施された色の濃淡と模様とは、別のものとして主張するよう施されており、色と模様の濃淡とが対応していない。
その結果、見た目に不自然な扉となっているという課題があった。【０００５】
この発明は、上記のような課題を解決するためになされたもので、複数の扉を有する冷蔵庫において、扉に、グラデーションと柄とを掛け合わせた自然な変化の装飾を施し、意匠性を高めた冷蔵庫を提供することを目的とする。
【課題を解決するための手段】
【０００６】
この発明に係る冷蔵庫は、前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの扉を備えたものである。
【発明の効果】
【０００７】
この発明に係る冷蔵庫によれば、複数の扉を有する冷蔵庫において、扉に、グラデーションと柄とを掛け合わせた自然な変化の装飾を施し、意匠性を高めた冷蔵庫を提供することができる。
【図面の簡単な説明】
【０００８】
【図１】実施の形態１に係る冷蔵庫の構成例を説明する図であり、冷蔵庫が置かれた状態で正面からみた正面図であって、図１Ａは、上下に６つの扉を有する冷蔵庫を示し、図１Ｂは、上下に５つの扉を有する冷蔵庫を示し、図１Ｃは、上下に３つの扉を有する冷蔵庫を示している。
【図２】実施の形態１において、冷蔵庫が有する複数の扉を構成する各扉部材の構成例を説明するための断面図であって、図２Ａは、柄付き扉部材の構成例を示す断面図であり、図２Ｂは、単色扉部材の構成例を示す断面図である。
【図３】実施の形態１において、柄付き扉部材に施されるその他の柄の一例について説明するための図である。
【図４】実施の形態１において、柄付き扉部材に施されるその他の柄の一例について説明するための図である。
【図５】実施の形態１において、柄付き扉部材に施されるその他の柄の一例について説明するための図である。
【図６】図６Ａ〜図６Ｃは、実施の形態１において、柄付き扉部材に施されるその他の柄の一例について説明するための図である。
【図７】実施の形態１において、柄付き扉部材に施されるその他の柄の一例について説明するための図である。
【図８】実施の形態１において、柄付き扉部材に施されるその他の柄の一例について説明するための図である。
【図９】実施の形態１において、左右方向にグラデーションが施された扉部材の一例であって、図９Ａは、左部が最も明るく、右部が最も暗くなるグラデーションが施された扉部材の一例を示す図であり、図９Ｂは、右部が最も明るく、左部が最も暗くなるグラデーションが施された扉部材の一例を示す図である。
【図１０】実施の形態１において、対角線方向にグラデーションが施された扉部材の一例であって、図１０Ａは、左上端部が最も明るく、右下端部が最も暗くなるグラデーションが施された扉部材の一例を示す図であり、図１０Ｂは、右上端部が最も明るく、左下端部が最も暗くなるグラデーションが施された扉部材の一例を示す図である。
【発明を実施するための形態】
【０００９】
以下、この発明の実施の形態について、図面を参照しながら詳細に説明する。
実施の形態１．
実施の形態１において、冷蔵庫とは、一般的な家庭用の冷蔵庫であり、複数の扉を有する冷蔵庫を想定している。
図１は、実施の形態１に係る冷蔵庫１ａ〜１ｃの構成例を説明する図であり、冷蔵庫１ａ〜１ｃが置かれた状態で正面からみた正面図である。
図１Ａは、上下に６つの扉を有する冷蔵庫１ａを示し、図１Ｂは、上下に５つの扉を有する冷蔵庫１ｂを示し、図１Ｃは、上下に３つの扉を有する冷蔵庫１ｃを示している。
以下の説明において、冷蔵庫１ａ〜１ｃを、まとめて、冷蔵庫１ともいうものとする。
なお、図１において、冷蔵庫１の扉は、閉められている。
【００１０】
図１Ａ〜図１Ｃに示すように、冷蔵庫１が有する複数の扉のうちの少なくとも１つの扉（図１Ａにおける２１ａ，２２ａ、図１Ｂにおける２ｂ、および、図１Ｃにおける２ｃ）は、グラデーションと柄とを有している。
具体的には、冷蔵庫１が有する複数の扉のうちの少なくとも１つの扉は、当該扉の前面に、グラデーションと、柄とが施された、装飾用の扉部材が貼り付けられることで構成されている。扉部材は、例えば、板状のガラスで製作される。
【００１１】
図１Ａに示す冷蔵庫１ａの扉２ａの扉部材と、図１Ｂに示す冷蔵庫１ｂの扉２ｂの扉部材と、図１Ｃに示す冷蔵庫１ｃの扉２ｃの扉部材は、それぞれ、上部（図１Ａの１０１，図１Ｂの１０３，図１Ｃの１０５参照）から下部（図１Ａの１０２，図１Ｂの１０４，図１Ｃの１０６参照）にかけて徐々に暗くなるグラデーションが施されている。
また、図１Ａに示す冷蔵庫１ａの扉２１ａおよび扉２２ａの扉部材と、図１Ｂに示す冷蔵庫１ｂの扉２ｂの扉部材と、図１Ｃに示す冷蔵庫１ｃの扉２ｃの扉部材は、それぞれ、水平方向に複数の直線の柄が施されている。
扉部材にグラデーションおよび柄を施す具体的な方法は後述する。
【００１２】
このように、扉２ａ、扉２ｂ、および、扉２ｃの扉部材それぞれにおいて、扉部材の上部が最も明るく、扉部材の下部に向かって徐々に暗くなっていくよう、明度が下げられている。また、明度が低くなるにつれて、扉部材の上部から扉部材の下部にかけて、柄が消し込まれて見えるようになっている。
また、図１Ａ〜図１Ｃに示すように、グラデーションおよび柄が施された扉２ａ，２ｂ，２ｃの扉部材において最も明度が低いほうの端部を基準として、当該グラデーションおよび柄が施された扉２ａ，２ｂ，２ｃの扉部材において最も明度が高いほうの端部とは反対側に位置する扉部材（図１Ａの１０７に示す４枚の扉部材、図１Ｂの１０８に示す４枚の扉部材、図１Ｃの１０９に示す２枚の扉部材）には、単色の色調が施されている。
【００１３】
このように、冷蔵庫１ａ〜１ｃにおいて、扉２ａ〜２ｃは、それぞれ、冷蔵庫１ａ〜１ｃが置かれた状態で、上部から下部にかけて徐々に暗くなるよう明度差を有し、当該明度差に対応して徐々に消し込まれていくように見える柄が施された扉部材で構成される。また、冷蔵庫１ａ〜１ｃにおいて、それぞれ、冷蔵庫１ａ〜１ｃが置かれた状態で、グラデーションおよび柄が施された扉部材の最も明度が低いほうの端部よりも下方に位置する扉部材は、単色の色調が施された扉部材で構成される。
その結果、冷蔵庫１ａ〜１ｃは、ユーザに対して、冷蔵庫１ａ〜１ｃの、グラデーションおよび柄の装飾が施されていない下部の扉部材にも柄が入っているかのような、自然な装飾の変化を感じさせることができる。
なお、実施の形態１において、冷蔵庫１が有する１つ以上の扉を構成する扉部材のうち、グラデーションおよび柄が施された扉部材を、「柄付き扉部材」ともいう。
また、実施の形態１において、冷蔵庫１が有する１つ以上の扉を構成する扉部材のうち、グラデーションおよび柄が施されていない、単色の装飾が施された扉部材を、「単色扉部材」ともいう。
【００１４】
ここで、冷蔵庫１において、柄付き扉部材および単色扉部材の構成例について詳細に説明する。なお、以下の説明では、扉部材はガラスで製作されるものとする。
図２は、実施の形態１において、冷蔵庫１が有する複数の扉を構成する各扉部材の構成例を説明するための断面図であって、図２Ａは、柄付き扉部材の構成例を示す断面図であり、図２Ｂは、単色扉部材の構成例を示す断面図である。一例として、図２Ａは、図１ＡのＡ−Ａ’断面図としており、図２Ｂは、図１ＡのＢ−Ｂ’断面図としている。
【００１５】
図２Ａに示すように、柄付き扉部材は、扉部材（図２Ａの２０１）に対して、グラデーション（図２Ａの２０２）、柄（図２Ａの２０３）、ベースカラー（図２Ａの２０４）、保護層（図２Ａの２０５）が、重ねて施される。
なお、グラデーション層において、グラデーションが暗くなっていく度合いは、適宜設定可能である。
また、図２Ａでは説明の便宜上、波線を用いて示しているが、柄層において、施される柄の内容は適宜設定可能である。ここでは、例えば、水平方向に複数の直線の柄が、適宜の色で施されるものとする（図１参照）。図２Ａに示すように、柄は、柄付き扉部材の全面にわたって施されるが、重ねてグラデーションが施されることにより、当該柄がグラデーションによって消し込まれるように施される。その結果、柄付き扉部材は、グラデーションに応じて明度が変化しているように見え、明度が低くなるにつれて、グラデーションと重ねて施された柄が見えなくなるようになっている。
また、図２Ａでは説明の便宜上、網掛けを用いて示しているが、ベースカラー層には、適宜の色調が単色で施される。なお、実施の形態１において、「色調が単色で施される」とは、色調が隙間なく塗られることをいい、色調にはメタリックまたはパールが入っているものも含む。
また、図２Ａでは、グラデーションと柄とは別の層に施されるものとしたが、これに限らず、グラデーションと柄とが、１つの層に合わせて施されるようになっていてもよい。
【００１６】
一方、図２Ｂに示すように、単色扉部材は、扉部材（図２Ｂの２０１）に対して、ベースカラー（図２Ｂの２０４）と保護層（図２Ｂの２０５）が施される。
単色扉部材における、ベースカラー層と保護層の内容は、図２Ａで示す、柄付き扉部材の内容と同じである。
【００１７】
図２に示すように、単色扉部材は、柄付き扉部材と比べ、装飾される層を少なくすることができる。
そのため、冷蔵庫１において、グラデーションおよび柄を施さない扉の扉部材には、装飾される層を少なくした単色扉部材を用いることで、冷蔵庫１の扉部材作成に係るコストを抑えることができる。
【００１８】
なお、図２Ａおよび図２Ｂは、扉部材をガラスで製作した際の装飾順の例を示しているが、装飾順はこの限りではなく、グラデーション（図２Ａの２０２）と柄（図２Ａの２０３）の装飾順は逆であってもよい。
【００１９】
次に、柄付き扉部材および単色扉部材に対して、グラデーション、柄、または、色調を施す具体的な方法について説明する。
例えば、柄付き扉部材および単色扉部材は、扉部材に、直接、グラデーションの樹脂塗膜層、柄の樹脂塗膜層、または、色調の樹脂塗膜層が印刷されることで、グラデーション、柄、または、色調が施される。
扉部材に、グラデーション、柄、色調が加飾された加飾フィルムが貼り付けられることで、グラデーション、柄、または、色調が施されるようにしてもよい。
【００２０】
以上のように、実施の形態１に係る冷蔵庫１は、冷蔵庫１が有する複数の扉のうちの少なくとも一つの扉を構成する扉部材に、グラデーションと柄とを掛け合わせた装飾が施され、グラデーションに応じて柄が消し込まれるように見える冷蔵庫１となっている。また、実施の形態１に係る冷蔵庫１は、グラデーションおよび柄が施された扉部材において明度が最も低いほうの端部を基準として、グラデーションおよび柄が施された扉部材において明度が最も高いほうの端部とは反対側に位置する、グラデーションおよび柄が施されていない扉部材は、単色の色調が施された扉部材とした冷蔵庫１となっている。
これにより、ユーザに対して、冷蔵庫１の扉について、自然な装飾の変化を感じさせることができるとともに、グラデーションおよび柄の装飾が施されていない扉部材にも柄が入っているかのように感じさせることができ、高い意匠性を有する冷蔵庫１とすることができる。また、冷蔵庫１が有する複数の扉のうちの一部の扉の扉部材は単色の色調が施されるようにしたことで、装飾される層を少なくし、コストを下げることが可能となる。
【００２１】
以上の説明では、一例として、柄付き扉部材に施される柄は、図１に示すような、水平方向の複数の直線としたが、これに限らない。
以下、柄付き扉部材に施されるその他の柄について、一例をあげて説明する。
【００２２】
図３〜図８は、実施の形態１において、柄付き扉部材に施されるその他の柄の一例について説明するための図である。
なお、図３〜図８では、グラデーションおよび柄が施された１枚の柄付き扉部材を示している。
【００２３】
例えば、図３に示すように、柄付き扉部材に施される柄は、冷蔵庫１が置かれた状態で、ゆらぎを有する水平方向の複数の線としてもよい。
ゆらぎを有する複数の線の柄が施された柄層と重ねて施されるベースカラー（図２Ａの２０４参照）の色をメタリックカラーにすると、ユーザに対して、冷蔵庫１の扉を金属調の柄の扉に感じさせることができ、ブラウン系の色にすると、ユーザに対して、冷蔵庫１の扉を木目調の柄の扉に感じさせることができ、冷蔵庫１の意匠性がより高まる。
【００２４】
また、例えば、図４に示すように、柄付き扉部材に施される柄は、冷蔵庫１が置かれた状態で、高さ、または、互いの高さ方向の間隔がそれぞれ異なる、水平方向の複数の線としてもよい。
柄が、ランダムな線であることにより、ユーザに対して幾何的な柄でありながら有機的な印象を与える扉を有する冷蔵庫１とすることができる。
【００２５】
また、例えば、図５に示すように、柄付き扉部材に施される柄は、冷蔵庫１が置かれた状態で、集合と方向性によって水平方向に線を形成する、複数の図形で表される矢羽根模様の柄としてもよい。
図形の集合によって線の方向性を示すことによって、単一の線を用いた柄とする場合よりも、ユーザに対して動きのある印象を与える扉を有する扉を有する冷蔵庫１とすることができる。
【００２６】
また、例えば、図６Ａ〜図６Ｃに示すように、柄付き扉部材に施される柄は、任意の図形を敷き詰めたパターン柄としてもよい。
柄が、縦横に方向性のないものとすることにより、ユーザに対して、扉と扉のつながりを自然に見せることができる冷蔵庫１とすることができる。
【００２７】
また、例えば、図７に示すように、柄付き扉部材に施される柄は、斜めのストライプ柄、または、斜めのストライプを交差させた柄としてもよい。なお、図７は、一例として、斜めのストライプを交差させた柄を示している。
斜め方向の柄が施されるようにすることで、少ない印刷面積であっても、柄付き扉部材全体に柄を配することが可能となり、使用するインクの量を低減することで、コストを抑えた柄付き扉部材とすることもでき得る。
例えば、図７に示すように、斜め方向の柄が施されるようにすると、図３で示したように、ゆらぎを有する水平方向の複数の線の柄が施される場合に比べ、空白部分が多く、柄の印刷層で使用するインクの量が少なくて済む。
【００２８】
また、例えば、図８に示すように、柄付き扉部材に施される柄は、図形を放射状にランダムに配置した柄としてもよい。
ランダムな図形が配置された柄が施されるようにすることで、ユーザに対して、扉間の柄のずれを感じにくくさせることができる。これにより、不良品を低減し、冷蔵庫１の生産効率があがる。
【００２９】
このように、柄付き扉部材に施される柄は、適宜設定可能である。
【００３０】
なお、以上の実施の形態１では、扉部材はガラスで製作されるものとしたが、これは一例に過ぎず、扉部材は、例えば、金属鋼板または石で製作されるものであってもよい。
また、以上の実施の形態１では、扉部材は板状としたが、これは一例に過ぎず、扉部材は、冷蔵庫１に使用される外装材であればよい。例えば、扉部材は、全面にわたって湾曲した形状の部材としてもよいし、角に丸みを帯びた形状を有している部材としてもよい。
【００３１】
また、以上の実施の形態１では、図１に示すように、一例として、冷蔵庫１は、上下に複数の扉を有するものを想定したが、これは一例に過ぎない。
例えば、冷蔵庫１は、左右に複数の扉を有するものであってもよい。
【００３２】
また、以上の実施の形態１では、冷蔵庫１が有する複数の扉のうちの少なくとも１つの扉２ａ〜２ｃの前面が、冷蔵庫１が置かれた状態で、上下方向に、上部から下部にかけて徐々に暗くなるグラデーションと、当該グラデーションに応じて消し込まれていくように見える柄とが施された扉部材で構成されるものとしたが、これは一例に過ぎない。
例えば、冷蔵庫１が有する複数の扉のうちの少なくとも１つの扉２ａ〜２ｃの前面が、冷蔵庫が置かれた状態で、上下方向に、上部から下部にかけて徐々に明るくなるグラデーションと、当該グラデーションに応じて消し込まれていくように見える柄とが施された扉部材で構成されるようにしてもよい。
【００３３】
また、例えば、冷蔵庫１が有する複数の扉のうちの少なくとも１つの扉の前面が、冷蔵庫１が置かれた状態で、左右方向に、左部から右部にかけて徐々に暗くなるグラデーションと、当該グラデーションに応じて消し込まれていくように見える柄とが施された扉部材で構成されるものとしてもよいし、左部から右部にかけて徐々に明るくなるグラデーションと、当該グラデーションに応じて消し込まれていくように見える柄とが施された扉部材で構成されるものとしてもよい（例えば、図９Ａ，図９Ｂ参照）。
また、例えば、冷蔵庫１が有する複数の扉のうちの少なくとも１つの扉の前面が、対角線上の一方の端部から他方の端部にかけて徐々に暗くなるグラデーションと、当該グラデーションに応じて消し込まれていくように見える柄が施された扉部材で構成されるようにしてもよい（図１０Ａ，図１０Ｂ参照）。
冷蔵庫１が有する扉のうちの少なくとも１つの扉の前面が、一方の端部から他方の端部にかけてグラデーションが施されるとともに、グラデーションに応じて消し込まれていくように見える柄が施された扉部材で構成されているようになっていればよい。
【００３４】
また、以上の実施の形態１では、グラデーションは、例えば、図１に示すように、扉部材の上部から下部等、扉部材の一方の端部から他方の端部にかけて施されるものとしたが、これは一例に過ぎない。グラデーションは、必ずしも、扉部材の端部から始まっていなくてもよく、単部において明度が一定な部分が存在してもよい。グラデーションは、扉部材の、一方の端部から他方の端部の方向にかけて、施されるようになっていればよい。
【００３５】
以上のように、実施の形態１によれば、冷蔵庫１は、前面が、一方の端部から他方の端部の方向にかけてグラデーションが施されるとともに、柄が、当該グラデーションと重ねられ、グラデーションに応じて消し込まれるように施された扉部材で構成された、少なくとも１つの扉２ａ〜２ｃを備えるようにした。その結果、ユーザに対して、冷蔵庫１の扉について、自然な装飾の変化を感じさせることができ、冷蔵庫１の意匠性を高めることができる。
【００３６】
また、実施の形態１によれば、冷蔵庫１は、グラデーションおよび柄が施された扉部材において明度が低いほうの端部を基準として、グラデーションおよび柄が施された扉部材において明度が高いほうの端部とは反対側に位置する扉部材には、単色の色調が施されるように構成した。これにより、ユーザに対して、グラデーションおよび柄の装飾が施されていない扉部材にも柄が入っているかのように感じさせることができる。また、冷蔵庫１において、グラデーションおよび柄を施さない扉の扉部材には、装飾される層を少なくした単色扉部材を用いることで、冷蔵庫１の扉部材作成に係るコストを抑えることができる。
【００３７】
なお、本願発明はその発明の範囲内において、実施の形態の任意の構成要素の変形、もしくは実施の形態の任意の構成要素の省略が可能である。
【産業上の利用可能性】
【００３８】
この発明に係る冷蔵庫は、扉に、グラデーションと柄とを掛け合わせた自然な変化の装飾を施し、意匠性を高めることができるように構成したため、複数の扉を備えた冷蔵庫に適用することができる。
【符号の説明】
【００３９】
１ａ，１ｂ，１ｃ  冷蔵庫、２ａ，２ｂ，２ｃ，２１ａ，２２ａ  扉。
【図１】
2019163092.tif 000003
【図２】
2019163092.tif 000004
【図３】
2019163092.tif 000005
【図４】
2019163092.tif 000006
【図５】
2019163092.tif 000007
【図６】
2019163092.tif 000008
【図７】
2019163092.tif 000009
【図８】
2019163092.tif 000010
【図９】
2019163092.tif 000011
【図１０】
2019163092.tif 000012
【手続補正書】
【提出日】平成30年7月19日(2018.7.19)
【手続補正１】
【補正対象書類名】明細書
【補正対象項目名】０００６
【補正方法】変更
【補正の内容】
【０００６】
この発明に係る冷蔵庫は、前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの扉を備え、グラデーションが施された扉部材において明度が低いほうの端部を基準として、グラデーションが施された扉部材において明度が高いほうの端部とは反対側に位置する扉部材には、明度の低い端部と同色調の単色の色調が施された、少なくとも一つの扉を備えたものである。
【手続補正２】
【補正対象書類名】明細書
【補正対象項目名】００３４
【補正方法】変更
【補正の内容】
【００３４】
また、以上の実施の形態１では、グラデーションは、例えば、図１に示すように、扉部材の上部から下部等、扉部材の一方の端部から他方の端部にかけて施されるものとしたが、これは一例に過ぎない。グラデーションは、必ずしも、扉部材の端部から始まっていなくてもよく、端部において明度が一定な部分が存在してもよい。グラデーションは、扉部材の、一方の端部から他方の端部の方向にかけて、施されるようになっていればよい。
【手続補正３】
【補正対象書類名】特許請求の範囲
【補正対象項目名】全文
【補正方法】変更
【補正の内容】
【特許請求の範囲】
【請求項１】
前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの扉を備えた冷蔵庫であり、
前記グラデーションが施された扉部材において明度が低いほうの端部を基準として、前記グラデーションが施された扉部材において明度が高いほうの端部とは反対側に位置する扉部材には、明度の低い端部と同色調の単色の色調が施された、少なくとも一つの扉を備えた冷蔵庫。
【請求項２】
前記扉部材は、
当該扉部材に、直接、前記グラデーションの樹脂塗膜層、および、前記柄の樹脂塗膜層が印刷されることで、前記グラデーションおよび前記柄が施されている
ことを特徴とする請求項１記載の冷蔵庫。
【請求項３】
前記扉部材は、
当該扉部材に、前記グラデーションおよび前記柄が加飾された加飾フィルムが貼り付けられることで、前記グラデーションおよび前記柄が施されている
ことを特徴とする請求項１記載の冷蔵庫。
【請求項４】
前記柄とは、
前記冷蔵庫が置かれた状態において、水平方向の直線である
ことを特徴とする請求項１記載の冷蔵庫。
【請求項５】
前記柄とは、
前記冷蔵庫が置かれた状態において、ゆらぎを有する水平方向の線である
ことを特徴とする請求項１記載の冷蔵庫。
【請求項６】
前記柄とは、
前記冷蔵庫が置かれた状態において、高さ、または、互いの高さ方向の間隔がそれぞれ異なる、水平方向の複数の線である
ことを特徴とする請求項１記載の冷蔵庫。
【請求項７】
前記柄とは、
前記冷蔵庫が置かれた状態において、集合と方向性によって水平方向に線を形成する、複数の図形である
ことを特徴とする請求項１記載の冷蔵庫。
【請求項８】
前記柄とは、
任意の図形を敷き詰めたパターン柄である
ことを特徴とする請求項１記載の冷蔵庫。
【請求項９】
前記柄とは、
斜めのストライプ柄、または、斜めのストライプを交差させた柄である
ことを特徴とする請求項１記載の冷蔵庫。
【請求項１０】
前記柄とは、
図形を放射状にランダムに配置した柄である
ことを特徴とする請求項１記載の冷蔵庫。
【請求項１１】
前記冷蔵庫が置かれた状態において、
前記一方の端部とは前記扉部材の上部であり、
前記他方の端部とは前記扉部材の下部であって、
前記扉部材は、前記扉部材の上部から前記扉部材の下部にかけて徐々に暗くなるグラデーションが施される
ことを特徴とする請求項１から請求項１０のうちのいずれか１項記載の冷蔵庫。
【手続補正書】
【提出日】平成31年2月13日(2019.2.13)
【手続補正１】
【補正対象書類名】明細書
【補正対象項目名】０００６
【補正方法】変更
【補正の内容】
【０００６】
この発明に係る冷蔵庫は、前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの扉を備え、グラデーションが施された扉部材において明度が低いほうの端部を基準として、グラデーションが施された扉部材において明度が高いほうの端部とは反対側に位置する扉部材には、明度の低い端部と明度が等しい単色の色調が施された、少なくとも一つの扉を備えたものである。
【手続補正２】
【補正対象書類名】特許請求の範囲
【補正対象項目名】全文
【補正方法】変更
【補正の内容】
【特許請求の範囲】
【請求項１】
前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの扉を備えた冷蔵庫であり、
前記グラデーションが施された扉部材において明度が低いほうの端部を基準として、前記グラデーションが施された扉部材において明度が高いほうの端部とは反対側に位置する扉部材には、明度の低い端部と明度が等しい単色の色調が施された、少なくとも一つの扉を備えた冷蔵庫。
【請求項２】
前記扉部材は、
当該扉部材に、直接、前記グラデーションの樹脂塗膜層、および、前記柄の樹脂塗膜層が印刷されることで、前記グラデーションおよび前記柄が施されている
ことを特徴とする請求項１記載の冷蔵庫。
【請求項３】
前記扉部材は、
当該扉部材に、前記グラデーションおよび前記柄が加飾された加飾フィルムが貼り付けられることで、前記グラデーションおよび前記柄が施されている
ことを特徴とする請求項１記載の冷蔵庫。
【請求項４】
前記柄とは、
前記冷蔵庫が置かれた状態において、水平方向の直線である
ことを特徴とする請求項１記載の冷蔵庫。
【請求項５】
前記柄とは、
前記冷蔵庫が置かれた状態において、ゆらぎを有する水平方向の線である
ことを特徴とする請求項１記載の冷蔵庫。
【請求項６】
前記柄とは、
前記冷蔵庫が置かれた状態において、高さ、または、互いの高さ方向の間隔がそれぞれ異なる、水平方向の複数の線である
ことを特徴とする請求項１記載の冷蔵庫。
【請求項７】
前記柄とは、
前記冷蔵庫が置かれた状態において、集合と方向性によって水平方向に線を形成する、複数の図形である
ことを特徴とする請求項１記載の冷蔵庫。
【請求項８】
前記柄とは、
任意の図形を敷き詰めたパターン柄である
ことを特徴とする請求項１記載の冷蔵庫。
【請求項９】
前記柄とは、
斜めのストライプ柄、または、斜めのストライプを交差させた柄である
ことを特徴とする請求項１記載の冷蔵庫。
【請求項１０】
前記柄とは、
図形を放射状にランダムに配置した柄である
ことを特徴とする請求項１記載の冷蔵庫。
【請求項１１】
前記冷蔵庫が置かれた状態において、
前記一方の端部とは前記扉部材の上部であり、
前記他方の端部とは前記扉部材の下部であって、
前記扉部材は、前記扉部材の上部から前記扉部材の下部にかけて徐々に暗くなるグラデーションが施される
ことを特徴とする請求項１から請求項１０のうちのいずれか１項記載の冷蔵庫。
【手続補正書】
【提出日】令和2年1月21日(2020.1.21)
【手続補正１】
【補正対象書類名】明細書
【補正対象項目名】０００６
【補正方法】変更
【補正の内容】
【０００６】
この発明に係る冷蔵庫は、前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの第１の扉と、グラデーションが施された扉部材において明度が低いほうの端部を基準として、グラデーションが施された扉部材において明度が高いほうの端部とは反対側に位置し、グラデーションにより柄が消し込まれて見えなくなった端部の色調と等しい単色の色調が施された扉部材で構成された、少なくとも１つの第２の扉と、を備えたものである。
【手続補正２】
【補正対象書類名】特許請求の範囲
【補正対象項目名】全文
【補正方法】変更
【補正の内容】
【特許請求の範囲】
【請求項１】
前面が、一方の端部から他方の端部の方向にかけてグラデーションが施されるとともに、柄が、当該グラデーションと重ねられ、当該グラデーションに応じて消し込まれるように施された扉部材で構成された、少なくとも１つの第１の扉と、
前記グラデーションが施された扉部材において明度が低いほうの端部を基準として、前記グラデーションが施された扉部材において明度が高いほうの端部とは反対側に位置し、前記グラデーションにより前記柄が消し込まれて見えなくなった端部の色調と等しい単色の色調が施された扉部材で構成された、少なくとも１つの第２の扉と、を備えた冷蔵庫。
【請求項２】
前記第１の扉の扉部材は、
当該扉部材に、直接、前記グラデーションの樹脂塗膜層、および、前記柄の樹脂塗膜層が印刷されることで、前記グラデーションおよび前記柄が施されている
ことを特徴とする請求項１記載の冷蔵庫。
【請求項３】
前記第１の扉の扉部材は、
当該扉部材に、前記グラデーションおよび前記柄が加飾された加飾フィルムが貼り付けられることで、前記グラデーションおよび前記柄が施されている
ことを特徴とする請求項１記載の冷蔵庫。
【請求項４】
前記柄とは、
前記冷蔵庫が置かれた状態において、水平方向の直線である
ことを特徴とする請求項１記載の冷蔵庫。
【請求項５】
前記柄とは、
前記冷蔵庫が置かれた状態において、ゆらぎを有する水平方向の線である
ことを特徴とする請求項１記載の冷蔵庫。
【請求項６】
前記柄とは、
前記冷蔵庫が置かれた状態において、高さ、または、互いの高さ方向の間隔がそれぞれ異なる、水平方向の複数の線である
ことを特徴とする請求項１記載の冷蔵庫。
【請求項７】
前記柄とは、
前記冷蔵庫が置かれた状態において、集合と方向性によって水平方向に線を形成する、複数の図形である
ことを特徴とする請求項１記載の冷蔵庫。
【請求項８】
前記柄とは、
任意の図形を敷き詰めたパターン柄である
ことを特徴とする請求項１記載の冷蔵庫。
【請求項９】
前記柄とは、
斜めのストライプ柄、または、斜めのストライプを交差させた柄である
ことを特徴とする請求項１記載の冷蔵庫。
【請求項１０】
前記柄とは、
図形を放射状にランダムに配置した柄である
ことを特徴とする請求項１記載の冷蔵庫。
【請求項１１】
前記冷蔵庫が置かれた状態において、
前記一方の端部とは前記第１の扉の扉部材の上部であり、
前記他方の端部とは前記第１の扉の扉部材の下部であって、
前記第１の扉の扉部材は、当該扉部材の上部から当該扉部材の下部にかけて徐々に暗くなるグラデーションが施される
ことを特徴とする請求項１から請求項１０のうちのいずれか１項記載の冷蔵庫。
【国際調査報告】
2019163092.tif 000013
2019163092.tif 000014
2019163092.tif 000015